(57)【特許請求の範囲】
【請求項１】
スクロール（２）と、このスクロール（２）内に収容された羽根車（３）とを備えたシロッコファンにおいて、
上記スクロール（２）の吹出口（５）側の部分に位置するように、上記スクロール（２）の上記羽根車（３）側の端面（２ａ）にじゃま板（６）が立設されていて、上記じゃま板（６）の全部が、上記吹出口（５）に対向する上記羽根車（３）の部分にわたって上記羽根車（３）の底部（３ａ）の周縁に近接して沿うように円弧状に延びていることを特徴とするシロッコファン。
【請求項２】
請求項１に記載のシロッコファンにおいて、
上記じゃま板（６）が略９０度の角度範囲に渡って湾曲していることを特徴とするシロッコファン。
【請求項３】
加湿ロータ（１０２）と、この加湿ロータ（１０２）を経由する吸湿通路（１０５）と、この吸湿通路（１０５）に設けた吸湿側送風ユニットと、上記加湿ロータ（１０２）を経由する加湿通路（１０４）と、この加湿通路（１０４）に設けた加湿側送風ユニット（１０６）と、上記加湿通路（１０４）の空気を加熱する加熱手段（１０８）とを備えた加湿ユニットであって、
請求項１または２に記載のシロッコファン（１）を吸湿側送風ユニットとして用いたことを特徴とする加湿ユニット。
【発明の詳細な説明】
【０００１】
【発明の属する技術分野】
本発明はシロッコファンおよびそれを備えた加湿ユニットに関する。
【０００２】
【従来の技術】
従来、シロッコファンとしては、図４に示すように、スクロール４２と、このスクロール４２内に収容され、ファンモータ４４の回転軸４７に固定された羽根車４３とを備えたものがある。そのファンモータ４４の駆動により羽根車４３が回転すると、羽根車上方の吸込み通路４０５を矢印Ａ方向に流れてきた空気は、矢印Ｂ,Ｃに示すように、ベルマウス４９の吸込口５０から下方に吸い込まれた後、矢印Ｄに示すように、スクロール４２の吹出口４５から外部に排出される。
【０００３】
【発明が解決しようとする課題】
ところが、上記従来のシロッコファンでは、図４中の小円内を拡大図示する大円内に示すように、スクロール４２の羽根車４３側の端面４２ａと羽根車４３の底部４３ａとの間に隙間があるため、羽根車４３の吹出し空気の一部がその隙間に巻き込まれて、矢印Ｔで示すような空気流が生じてしまう。その結果、風量が減少し、騒音が大きくなり、サージングが起こり易くなるという問題があった。
【０００４】
そこで、本発明の課題は、騒音を低減できて、サージングが起こりにくいシロッコファンおよびそれを備えた加湿ユニットを提供することにある。
【０００５】
【課題を解決するための手段】
上記目的を達成するため、請求項１の発明のシロッコファンは、スクロールと、このスクロール内に収容された羽根車とを備えたシロッコファンにおいて、上記スクロールの吹出口側の部分に位置するように、上記スクロールの上記羽根車側の端面にじゃま板が立設されていて、上記じゃま板の全部が、上記吹出口に対向する上記羽根車の部分にわたって上記羽根車（３）の底部（３ａ）の周縁に近接して沿うように円弧状に延びていることを特徴としている。
【０００６】
上記請求項１の発明のシロッコファンによれば、上記スクロールの吹出口側の部分に位置するように、スクロールの羽根車側の端面に円弧状のじゃま板を立設しているから、羽根車の吹出し空気はスクロールと羽根車との間に巻き込まれず、スムーズに流れてスクロールの吹出口を介して排出される。したがって、上記羽根車の吹出し空気流が乱れず、風量が増大する。
【０００７】
また、上記羽根車の吹出し空気はスクロールと羽根車との間に巻き込まれずにスムーズに流れるから、騒音を低減することができると共に、サージングの発生率を低減できる。
【０００８】
また、請求項２の発明のシロッコファンは、請求項１のシロッコファンにおいて、上記じゃま板は、略９０度の角度範囲に渡って湾曲していることを特徴としている。
【０００９】
上記請求項２の発明のシロッコファンによれば、上記じゃま板は略９０度の角度範囲に渡って湾曲して、スクロールの吹出口側の部分に位置しているから、羽根車の吹出し空気がスクロールと羽根車との間に巻き込まれるのを確実に阻止できる。
【００１０】
また、請求項３の発明のシロッコファンは、加湿ロータと、この加湿ロータを経由する吸湿通路と、この吸湿通路に設けた吸湿側送風ユニットと、上記加湿ロータを経由する加湿通路と、この加湿通路に設けた加湿側送風ユニットと、上記加湿通路の空気を加熱する加熱手段とを備えた加湿ユニットであって、請求項１または２のシロッコファンを吸湿側送風ユニットとして用いたことを特徴としている。
【００１１】
上記請求項３の発明の加湿ユニットによれば、上記シロッコファンを吸湿側送風ユニットとして用いているから、吸湿通路の空気流量が変動しにくく、加湿ロータが吸湿通路の空気から安定かつ確実に吸湿することができる。
【００１２】
【発明の実施の形態】
以下、本発明のシロッコファンおよびそれを備えた加湿ユニットを図示の実施の形態により詳細に説明する。
【００１３】
図１に、本発明の実施の一形態のシロッコファンを備えた加湿ユニットの分解斜視図を示す。この加湿ユニットは、図１に示すように、本体フレーム１０１と、この本体フレーム１０１の軸部１０３に回転自在に嵌合する加湿ロータ１０２と、加湿ロータ１０２を経由する加湿通路１０４,吸湿通路１０５とを備えている。上記加湿通路１０４には加湿側送風ユニット１０６を設置し、吸湿通路１０５には吸湿側送風ユニットであるシロッコファン１を設置している。また、上記加湿通路１０４を流れる空気は加熱手段としてのヒータ１０８で加熱される。なお、１０７は、本体フレーム１０１の上部に取り付けられる上蓋である。
【００１４】
図２に、上記加湿ユニットを上方から見た図である。図３は図２のIII−III線断面図である。図２では、ベルマウス９上に取り付ける流路カバー１１の図示を省略している。また、図３では、小円で囲んだ要部を拡大して大円内に図示している。
【００１５】
上記シロッコファン１は、図３に示すように、スクロール２と、このスクロール２に収容され、ファンモータ４の回転軸７に固定された羽根車３とを備えている。この羽根車３の周縁部には、周方向に所定の間隔を隔てて複数の羽根８を設けている。そして、上記羽根車３の上方には、吸込口１０を有するベルマウス９を配置している。また、上記スクロール２は、ベルマウス９の吸込口１０から吸込んだ空気を外部に排出するための吹出口を有していて、スクロール２の羽根車３側の端面２ａにはじゃま板としての整流リブ６を立設している。上記整流リブ６は、図２に示すように、スクロール２の吹出口５側の部分に位置するように形成されている。また、上記整流リブ６の全部は、羽根車３の周縁に沿うように円弧状に延びていて、略９０度の角度範囲に渡って湾曲している。
【００１６】
上記構成のシロッコファン１によれば、ファンモータ４が駆動して羽根車３が回転すると、吸湿通路１０５をＡ方向に流れてきた空気が、ベルマウス９の吸込口１０から矢印Ｂ,Ｃ,Ｅ,Ｆ方向に吸い込まれ後、スクロール２の吹出口から矢印Ｄ方向に排出される。このとき、上記スクロール２の羽根車３側の端面２ａに整流リブ６を立設しているから、羽根車３の吹出し空気はスクロール２の羽根車３側の端面２ａと羽根車３の底部３ａとの間に巻き込まれず、図３中の矢印Ｓに示すようにスームズに流れて、スクロール２の吹出口から外部に排出される。その結果、上記羽根車３の吹出し空気流が乱れず、吸湿通路１０５の風量が増大する。
【００１７】
また、上記羽根車３の吹出し空気は矢印Ｓに示すようにスームズに流れるから、騒音を低減することができて、しかも、サージングが起こりにくく、いわゆるサージング耐力が向上する。
【００１８】
また、上記整流リブ６をスクロール２の端面２ａに立設しているから、例えば吹出口から入ってきた水がファンモータ４に接触するのを防止できる。
【００１９】
また、上記じゃま板は略９０度の角度範囲に渡って湾曲して、スクロール２の吹出口５側の部分に位置しているから、羽根車３の吹出し空気がスクロール２と羽根車３との間に巻き込まれるのを確実に阻止できる。
【００２０】
また、上記加湿ユニットにおいて、シロッコファン１を吸湿側送風ユニットとして用いているから、吸湿通路１０５の空気流量が変動しにくく、加湿ロータ１０２が吸湿通路１０５の空気から安定かつ確実に吸湿することができる。
【００２１】
【発明の効果】
以上より明らかなように、請求項１の発明のシロッコファンは、スクロールの吹出口側の部分に位置するように、スクロールの羽根車側の端面に円弧状のじゃま板を立設しているから、羽根車の吹出し空気はスクロールと羽根車との間に巻き込まれず、風量を増大させることができる。
【００２２】
また、上記羽根車の吹出し空気はスクロールと羽根車との間に巻き込まれずにスムーズに流れるから、騒音を低減することができると共に、サージングの発生率を低減できる。
【００２３】
請求項２の発明のシロッコファンは、上記じゃま板は略９０度の角度範囲に渡って湾曲して、スクロールの吹出口側の部分に位置しているから、羽根車の吹出し空気がスクロールと羽根車との間に巻き込まれるのを確実に阻止できる。
【００２４】
請求項３の発明の加湿ユニットは、上記請求項１または２のシロッコファンを吸湿側送風ユニットとして用いているから、吸湿通路の空気流量が変動しにくく、加湿ロータが吸湿通路の空気から安定かつ確実に吸湿できる。
【図面の簡単な説明】
【図１】  図１は本発明の実施の一形態のシロッコファンを備えた加湿ユニットの分解斜視図である。
【図２】  図２は上記加湿ユニットの上面図である。
【図３】  図３は図２のIII−III線断面図である。
【図４】  図４は従来のシロッコファンの断面図である。
【符号の説明】
１    シロッコファン
２    スクロール
２ａ  端面
３    羽根車
３ａ  底部
５    吹出口
６    整流リブ
【図１】
0003642016.tif 000002
【図２】
0003642016.tif 000003
【図３】
0003642016.tif 000004
【図４】
0003642016.tif 000005